【手続補正書】
【提出日】平成17年9月7日(2005.9.7)
【手続補正１】
【補正対象書類名】明細書
【補正対象項目名】特許請求の範囲
【補正方法】変更
【補正の内容】
【特許請求の範囲】
【請求項１】
遊技者が所定の遊技を行うことが可能な遊技機であって、
遊技の進行を制御する遊技制御手段と、
遊技媒体を払い出す払出手段を制御する払出制御手段と、
遊技機で使用される所定電位電源の電源電圧を監視し、該電源電圧が所定値以下になったことにより電圧低下信号を出力する電源監視手段とを備え、
前記電源監視手段は、前記電源電圧が所定値以下になったことにより、１つの電源監視手段から前記遊技制御手段および前記払出制御手段に電圧低下信号を出力し、
前記遊技制御手段および前記払出制御手段は、前記電源監視手段からの電圧低下信号の入力に応じて、所定の電力供給停止時処理を行い、
前記払出制御手段が所定のデータを出力するための複数の出力ポートが設けられ、
前記複数の出力ポートには、所定の順序に従ってアドレスが割り当てられており、
前記払出制御手段は、前記電力供給停止時処理にて、前記複数の出力ポートに出力されたデータをクリアする出力ポートクリア処理を行うことが可能であり、
前記出力ポートクリア処理では、クリアする出力ポートのアドレスが、所定の順序に従って演算により設定される
ことを特徴とする遊技機。
【請求項２】
出力ポートクリア処理における演算は、クリアした出力ポートのアドレスを特定可能なアドレスデータに所定値を加算する加算処理であり、所定値が加算された後のアドレスデータを、次にクリアする出力ポートのアドレスとして設定する
請求項１記載の遊技機。
【請求項３】
出力ポートクリア処理では、クリアデータを出力ポートに出力する処理が、ポートの数に応じた回数繰り返される
請求項１または請求項２記載の遊技機。
【請求項４】
遊技制御手段が所定のデータを出力するための出力ポートが設けられ、
前記遊技制御手段は、電力供給停止時処理にて、前記出力ポートに出力されたデータをクリアする出力ポートクリア処理を行うことが可能であり、
前記出力ポートクリア処理によって、可変入賞球装置の駆動が停止する
請求項１から請求項３のうちいずれかに記載の遊技機。
【請求項５】
遊技制御手段が所定のデータを出力するための出力ポートが設けられ、
前記遊技制御手段は、電力供給停止時処理にて、前記出力ポートに出力されたデータをクリアする出力ポートクリア処理を行うことが可能であり、
前記出力ポートは、払出制御手段に送出されるコマンドデータを出力するための出力ポートであり、
前記出力ポートクリア処理によって、前記払出制御手段へのコマンドデータがクリアされる
請求項１から請求項４のうちいずれかに記載の遊技機。
【請求項６】
出力ポートクリア処理によって、制御に関わる情報の出力データがクリアされる
請求項４または請求項５記載の遊技機。
【請求項７】
払出制御手段による出力ポートクリア処理によって、払出手段の駆動が停止する
請求項１から請求項６のうちいずれかに記載の遊技機。
【手続補正２】
【補正対象書類名】明細書
【補正対象項目名】００１０
【補正方法】変更
【補正の内容】
【００１０】
【課題を解決するための手段】
本発明による遊技機は、遊技者が所定の遊技を行うことが可能な遊技機であって、遊技の進行を制御する遊技制御手段と、遊技媒体を払い出す払出手段を制御する払出制御手段と、遊技機で使用される所定電位電源の電源電圧を監視し、該電源電圧が所定値以下になったことにより電圧低下信号を出力する電源監視手段とを備え、電源監視手段は、電源電圧が所定値以下になったことにより、１つの電源監視手段から遊技制御手段および払出制御手段に電圧低下信号を出力し、遊技制御手段および払出制御手段は、電源監視手段からの電圧低下信号の入力に応じて、所定の電力供給停止時処理を行い、払出制御手段が所定のデータを出力するための複数の出力ポートが設けられ、複数の出力ポートには、所定の順序に従ってアドレスが割り当てられており、払出制御手段が、電力供給停止時処理にて、複数の出力ポートに出力されたデータをクリアする出力ポートクリア処理を行うことが可能であり、出力ポートクリア処理では、クリアする出力ポートのアドレスが、所定の順序に従って演算により設定されることを特徴とする。
【手続補正３】
【補正対象書類名】明細書
【補正対象項目名】００１１
【補正方法】削除
【補正の内容】
【手続補正４】
【補正対象書類名】明細書
【補正対象項目名】００１５
【補正方法】変更
【補正の内容】
【００１５】
遊技制御手段が所定のデータを出力するための出力ポートが設けられ、遊技制御手段は、電力供給停止時処理にて、出力ポートに出力されたデータをクリアする出力ポートクリア処理を行うことが可能であり、出力ポートクリア処理によって、可変入賞球装置の駆動が停止することが好ましい。
【手続補正５】
【補正対象書類名】明細書
【補正対象項目名】００１６
【補正方法】変更
【補正の内容】
【００１６】
遊技制御手段が所定のデータを出力するための出力ポートが設けられ、遊技制御手段は、電力供給停止時処理にて、出力ポートに出力されたデータをクリアする出力ポートクリア処理を行うことが可能であり、出力ポートは、払出制御手段に送出されるコマンドデータを出力するための出力ポートであり、出力ポートクリア処理によって、払出制御手段へのコマンドデータがクリアされることが好ましい。
【手続補正６】
【補正対象書類名】明細書
【補正対象項目名】００１７
【補正方法】削除
【補正の内容】
【手続補正７】
【補正対象書類名】明細書
【補正対象項目名】００１８
【補正方法】変更
【補正の内容】
【００１８】
払出制御手段による出力ポートクリア処理によって、払出手段の駆動が停止することが好ましい。
【手続補正８】
【補正対象書類名】明細書
【補正対象項目名】０２１４
【補正方法】変更
【補正の内容】
【０２１４】
【発明の効果】
以上のように、本発明によれば、電源監視手段は、電源電圧が所定値以下になったことにより、１つの電源監視手段から遊技制御手段および払出制御手段に電圧低下信号を出力し、遊技制御手段および払出制御手段は、電源監視手段からの電圧低下信号の入力に応じて、所定の電力供給停止時処理を行い、払出制御手段が所定のデータを出力するための複数の出力ポートが設けられ、複数の出力ポートには、所定の順序に従ってアドレスが割り当てられており、払出制御手段が、電力供給停止時処理にて、複数の出力ポートに出力されたデータをクリアする出力ポートクリア処理を行うことが可能であり、出力ポートクリア処理では、クリアする出力ポートのアドレスが、所定の順序に従って演算により設定されるように構成したので、出力ポートのクリア処理を迅速に行うことができるとともに、出力ポートクリア処理に関するプログラム容量が削減される効果がある。また、各電気部品の作動状態を、保存された遊技状態と矛盾しないようにすることができる。
【手続補正９】
【補正対象書類名】明細書
【補正対象項目名】０２１５
【補正方法】削除
【補正の内容】
【手続補正１０】
【補正対象書類名】明細書
【補正対象項目名】０２１９
【補正方法】変更
【補正の内容】
【０２１９】
遊技制御手段が所定のデータを出力するための出力ポートが設けられ、遊技制御手段は、電力供給停止時処理にて、出力ポートに出力されたデータをクリアする出力ポートクリア処理を行うことが可能であり、出力ポートクリア処理によって、可変入賞球装置の駆動が停止するように構成されている場合には、可変入賞球装置が開放したままになるようなことはない。
【手続補正１１】
【補正対象書類名】明細書
【補正対象項目名】０２２０
【補正方法】変更
【補正の内容】
【０２２０】
遊技制御手段が所定のデータを出力するための出力ポートが設けられ、遊技制御手段は、電力供給停止時処理にて、出力ポートに出力されたデータをクリアする出力ポートクリア処理を行うことが可能であり、出力ポートは、払出制御手段に送出されるコマンドデータを出力するための出力ポートであり、出力ポートクリア処理によって、払出制御手段へのコマンドデータがクリアされるように構成されている場合には、コマンドデータの出力状態が継続してしまうようなことはない。
【手続補正１２】
【補正対象書類名】明細書
【補正対象項目名】０２２１
【補正方法】削除
【補正の内容】
【手続補正１３】
【補正対象書類名】明細書
【補正対象項目名】０２２２
【補正方法】変更
【補正の内容】
【０２２２】
払出制御手段による出力ポートクリア処理によって、払出手段の駆動が停止するように構成されている場合には、不要な払い出しがなされてしまうことが効果的に防止される。